(57)【要約】【課題】決済端末装置に大きな処理リソースや、複雑で高速な処理が必要とされず、決済センタ等のリモートホスト側との通信量が少なくて済み、決済端末装置の開発や保守、改修が短期間で可能となり、低コスト化が実現できる決済システムを提供する。【解決手段】記憶媒体に記憶された情報を読み取る記憶媒体読取装置と、およびそれに対する操作指示と決済の進行状況とを表示する表示装置の動作を制御する決済端末装置と、その決済端末装置と通信を行い、決済端末装置からの決済要求に応じて取引の決済結果を含む決済応答を決済端末装置に対して返す決済応答装置と、を備え、決済端末装置は、決済応答装置との間で通信され記憶媒体読取装置かつまたは表示装置に取扱われる情報と、決済端末装置が記憶媒体読取装置かつまたは表示装置に対して取扱う情報との間で置き換える決済応答装置依存情報処理部をさらに備える。【選択図】図１
2015022653.tif 000002
【特許請求の範囲】
【請求項１】
クレジットカード、デビットカードまたは電子マネーを含む記憶媒体を用いた取引を行う決済システムであって、
前記記憶媒体に記憶された情報を読み取る記憶媒体読取装置と、
前記記憶媒体読取装置に対する操作指示と決済の進行状況とを表示する表示装置と、
前記記憶媒体読取装置および前記表示装置の動作を制御する決済端末装置と、
前記決済端末装置と通信を行い、前記決済端末装置からの決済要求に応じて取引の決済結果を含む決済応答を前記決済端末装置に対して返す決済応答装置と、を備え、
前記決済端末装置は、
前記決済応答装置との間で通信され前記記憶媒体読取装置かつまたは前記表示装置に取扱われる情報と、前記決済端末装置が前記記憶媒体読取装置かつまたは前記表示装置に対して取扱う情報との間で置き換える決済応答装置依存情報処理部をさらに備えた
決済システム。
【請求項２】
クレジットカード、デビットカードまたは電子マネーを含む記憶媒体を用いた取引を行う決済システムにおいて用いられる決済端末装置であって、
前記記憶媒体に記憶された情報を読み取る記憶媒体読取装置、および前記記憶媒体読取装置に対する操作指示と決済の進行状況とを表示する表示装置の動作を制御する制御部と、
決済応答装置に対して決済要求を送信し、前記決済要求に応じた取引の決済結果を含む決済応答を前記決済応答装置から受信する通信部と、
前記決済応答装置との間で通信され前記記憶媒体読取装置かつまたは前記表示装置に取扱われる情報と、前記決済端末装置が前記記憶媒体読取装置かつまたは前記表示装置に対して取扱う情報との間で置き換える決済応答装置依存情報処理部と、を備えた
決済端末装置。
【請求項３】
クレジットカード、デビットカードまたは電子マネーを含む記憶媒体を用いた取引を行う決済システムにおいて用いられる決済応答装置であって、
前記記憶媒体に記憶された情報を読み取る記憶媒体読取装置、および前記記憶媒体読取装置に対する操作指示と決済の進行状況とを表示する表示装置を制御し、前記決済応答装置との間で通信され前記記憶媒体読取装置かつまたは前記表示装置に取扱われる情報と、前記記憶媒体読取装置かつまたは前記表示装置に対して取扱う情報との間で置き換える決済端末装置との間で通信を行い、
前記決済端末装置からの決済要求に応じて取引の決済結果を含む決済応答を前記決済端末装置に対して返す
決済応答装置。
【発明の詳細な説明】
【技術分野】
【０００１】
本発明は、クレジットカード、デビットカード、電子マネー等を用いた決済により取引を会計する決済システム、およびその決済システムで用いられる決済端末装置と決済応答装置に関する。
【背景技術】
【０００２】
現在、顧客がさまざまなタイプのクレジットカードまたは銀行のキャッシュカードを用いたデビットカード、電子マネー等により商品またはサービスに対する支払いを行う決済システムが広く利用されている。この決済システムにおいて用いられる決済端末装置は、通常、顧客と取引を行うカード会社または決済サービス提供者によって提供され、通信回線を通じて、決済センタとオンラインで接続されて利用される。決済端末装置は、決済プログラム或いは暗号化プログラムと、クレジットカード或いはキャッシュカードのカード番号を含むカード情報を読み取るカードリーダと、顧客が暗証情報（ＰＩＮ）を入力するためのＰＩＮパッドと、を備える。販売者またはサービス提供者は、取引の都度、決済端末装置、カードリーダ、ＰＩＮパッド等を操作して顧客のカード情報を読み取り、顧客に販売する商品またはサービスの対価情報等を入力する。これらのカード情報および対価情報等は、暗号化プログラムによって暗号化され、決済端末装置から決済センタに送信される。決済センタは、例えば、銀行或いはクレジット会社のホストコンピュータである。決済センタは、決済端末装置から送信された暗号化済みのカード情報を復号して照合を行い、決済許可判定のための信用確認処理等を行い、その取引の許可／不許可を判断して、所定の応答データを決済端末装置に返信する。決済端末装置は、その応答データに対する決済処理を行う。取引が決済センタによって許可されると、決済端末装置は取引伝票を印刷する。
【０００３】
図３は、各種決済システムの比較図であり、それぞれの決済システムにおける決済システムの機能分類１０１の機能分担を示す図である。機能分担の一態様としては、まず、古くから多く一般に普及しているリッチ・クライアント型の決済端末装置２０２を備えた決済システム（以下「リッチ・クライアント型決済システム」と略す）２０１がある。これに対して、クラウド型決済プラットフォーム・サービスと、シン・クライアント型の決済端末装置３０２または４０２と、を連携させた決済システム（以下「シン・クライアント型決済システム」と略す）３０１，４０１がある。シン・クライアント型決済システム３０１または４０１においては、リッチ・クライアント型の決済端末装置２０２に対して、決済端末装置３０２または４０２の決済センタ依存機能１０４とプログラムとが、決済中継サーバ３０８又は決済センタ４０５に集約される。リーダライタの機能は簡素化され、複雑な処理機能は全て決済センタ４０５又は決済中継サーバ３０８に移行される。これによって、決済端末装置３０２または４０２の決済端末機能１０３は簡素化され、決済端末装置３０２または４０２の低コスト化が実現される。
【０００４】
これらに加えて、シン・クライアント型決済システム３０１，４０１の決済端末装置３０２，４０２に接続されるカードリーダライタは、１台のみで、異なる複数の電子マネーのブランド規格及びクレジットカードのブランド規格を扱うことが可能となる。各ブランドの業務アプリケーションは、決済中継サーバ３０８又は決済センタ４０５等のリモートホスト側に保持される。そのため、これらのシン・クライアント型決済システム３０１，４０１を一旦導入した後、ブランドの追加が必要となっても、決済端末装置３０２，４０２の交換は発生しない。そして、決済中継サーバ３０８又は決済センタ４０５を、他のＡＳＰサービスと接続することにより、決済以外のサービスとの柔軟な連動が可能となる。
【０００５】
また、このようなシン・クライアント型決済システム３０１，４０１においては、決済端末装置３０２，４０２の機能が簡素化され、その低コスト化が実現できる、とされている。それとともに、決済中継サーバ３０８又は決済センタ４０５等のリモートホストと行う通信に使用される暗号鍵がリモートホスト側に保持される。決済センタ依存機能１０４及び電子マネー・クレジットカード等の各ブランドに対応する業務アプリケーション（図示せず）も、これらリモートホスト側に保持される。そのため、決済端末装置３０２，４０２の紛失や盗難があっても、情報漏えい等の二次被害の心配がなく、シン・クライアント型決済システム３０１，４０１全体のセキュリティが向上する。
【０００６】
従来、シン・クライアント型決済システム３０１，４０１において、決済中継サーバ３０８又は決済センタ４０５等のリモートホストと決済端末装置３０２，４０２との間の通信は、マークアップ言語によってなされていた。決済端末装置３０２，４０２は、ウェブのようなアプリケーションをみるためのものであった。このようなマークアップ言語による通信を行うシン・クライアント型の決済システムは、特許文献１における「ＥＦＴシステム」にも開示されている。
【先行技術文献】
【特許文献】
【０００７】
【特許文献１】特開２００８−５０８５８５号公報
【発明の概要】
【発明が解決しようとする課題】
【０００８】
マークアップ言語を用いる従来のシン・クライアント型決済システム３０１，４０１は、一見して、旧来の設計資産と、パソコンやインターネットで一般的に使用される技術との組み合わせによって、容易に実現されるように思われる。そして、この従来のシン・クライアント型決済システム３０１，４０１における決済端末装置３０２，４０２も、その開発や保守、改修が短期間で可能となり、そのコストが安価となるように思われる。
【０００９】
しかしながら、決済端末装置３０２，４０２は、旧来のリッチ・クライアント型決済端末装置と同程度の処理能力や特性（例えば、画素数、階調数、モノクロ／カラー、グラフィック表示処理能力、ＣＰＵ／メモリのリソース）では実現することが難しい。決済端末装置３０２，４０２には、パソコンやタブレット端末並みの高い処理能力と高い描画性能が求められる。
【００１０】
決済中継サーバ３０８又は決済センタ４０５等のリモートホストからは、ＨＴＭＬ、ＸＭＬまたはそれらに類するマークアップ言語で記述され、決済の進行状況を示す画面又は操作者への操作を指示する画面の描画データが送信される。決済端末装置３０２，４０２に搭載されるブラウザは、受信したこの描画データに対して、以下の３つの処理を行う。すなわち、１：パース（文法チェック、構文解析）、２：データベース化（データ要素の分類整理・階層構造化整理）、３：レンダリング（見出し、本文の大きさや位置、画像の表示）である。これだけの処理を行ってレスポンスよく決済業務を遂行するためには、ＣＰＵと、ＲＡＭ／ＲＯＭ等のメモリに、多くのリソースを必要とする。
【００１１】
たとえ、ネガ・データのチェックとセキュリティ確保のための処理を、決済中継サーバ３０８又は決済センタ４０５等のリモートホストに持たせたとしても、決済端末装置３０２，４０２への表示処理に要するリソースは、それらの処理削減ではまかないきれないほど大きなものとなる。その結果、決済端末装置３０２，４０２でスムーズな決済業務を行うのに必要なＣＰＵの処理能力は、旧来のリッチ・クライアント型決済端末装置と比較して、例えばクロック周波数換算で２．５倍以上となる。描画データにグラフィック・データが多く含まれる場合、決済端末装置３０２，４０２には、さらに高い処理能力と高い描画性能が求められる。これに加えて、決済中継サーバ３０８又は決済センタ４０５等のリモートホストとの間の通信量も増大する。それらは、決済業務におけるレスポンスの低下と所要時間の増大につながる。
【００１２】
また、決済端末装置３０２，４０２による入力／表示等のユーザ・インタフェース性能は、決済中継サーバ３０８又は決済センタ４０５等のリモートホストのコンテンツに依存する。これらのリモートホストが複数ある場合、決済端末装置３０２，４０２に搭載されるソフトウェアも、それぞれの決済センタ１０５の仕様に基づいて設計される。決済端末装置３０２，４０２に搭載される表示装置の画面解像度や、そこで表示されるキーは、それぞれの決済センタ１０５の仕様に適合させなければならない。旧来の決済端末装置の設計資産（ハードウェア、ソフトウェア）や、決済センタの設計資産の多くが利用できない。
【００１３】
このように、システム／サービス全体を眺めたとき、従来の決済システムにおいては、ハードウェア仕様を含めて、決済センタの高い要件に合わせられる決済端末装置しか採用されず、限定されたものとなる。そのため、決済センタ／決済中継サーバ／決済端末装置のビジネスおよび決済の利用拡大も制限される。
【００１４】
本発明は、上述した従来の状況に鑑みてなされたもので、決済端末装置に大きな処理リソースや、複雑で高速な処理が必要とされず、決済センタ等のリモートホスト側との通信量が少なくて済み、決済端末装置の開発や保守、改修が短期間で可能となり、低コスト化が実現できる決済システム、それに用いられる決済端末装置及び決済応答装置を提供し、それにより決済の利用拡大や決済サービスの向上を図ることを目的とする。
【課題を解決するための手段】
【００１５】
本発明の決済システムは、クレジットカード、デビットカードまたは電子マネーを含む記憶媒体を用いた取引を行うものであって、前記記憶媒体に記憶された情報を読み取る記憶媒体読取装置と、前記記憶媒体読取装置に対する操作指示と決済の進行状況とを表示する表示装置と、前記記憶媒体読取装置および前記表示装置の動作を制御する決済端末装置と、前記決済端末装置と通信を行い、前記決済端末装置からの決済要求に応じて取引の決済結果を含む決済応答を前記決済端末装置に対して返す決済応答装置と、を備え、前記決済端末装置は、前記決済応答装置との間で通信され前記記憶媒体読取装置かつまたは前記表示装置に取扱われる情報と、前記決済端末装置が前記記憶媒体読取装置かつまたは前記表示装置に対して取扱う情報との間で置き換える決済応答装置依存情報処理部をさらに備える。
【００１６】
この決済システムの構成によれば、決済端末装置に大きな処理リソースや、複雑で高速な処理が必要とされず、決済応答装置側との通信量が少なくて済み、決済端末装置の開発や保守、改修が短期間で可能となり、低コスト化が実現される。
【００１７】
また、本発明の決済端末装置は、クレジットカード、デビットカードまたは電子マネーを含む記憶媒体を用いた取引を行う決済システムに用いられるものであって、前記記憶媒体に記憶された情報を読み取る記憶媒体読取装置、および前記記憶媒体読取装置に対する操作指示と決済の進行状況とを表示する表示装置の動作を制御する制御部と、決済応答装置に対して決済要求を送信し、前記決済要求に応じた取引の決済結果を含む決済応答を前記決済応答装置から受信する通信部と、前記決済応答装置との間で通信され前記記憶媒体読取装置かつまたは前記表示装置に取扱われる情報と、前記決済端末装置が前記記憶媒体読取装置かつまたは前記表示装置に対して取扱う情報との間で置き換える決済応答装置依存情報処理部と、を備える。
【００１８】
この決済端末装置の構成によれば、決済端末装置に大きな処理リソースや、複雑で高速な処理が必要とされず、決済応答装置側との通信量が少なくて済み、決済端末装置の開発や保守、改修が短期間で可能となり、低コスト化が実現される。
【００１９】
また、本発明の決済応答装置は、クレジットカード、デビットカードまたは電子マネーを含む記憶媒体を用いた取引を行う決済システムに用いられるものであって、前記記憶媒体に記憶された情報を読み取る記憶媒体読取装置、および前記記憶媒体読取装置に対する操作指示と決済の進行状況とを表示する表示装置を制御し、前記決済応答装置との間で通信され前記記憶媒体読取装置かつまたは前記表示装置に取扱われる情報と、前記記憶媒体読取装置かつまたは前記表示装置に対して取扱う情報との間で置き換える決済端末装置との間で通信を行い、前記決済端末装置からの決済要求に応じて取引の決済結果を含む決済応答を前記決済端末装置に対して返すものである。
【００２０】
この決済応答装置の構成によれば、決済端末装置に大きな処理リソースや、複雑で高速な処理が必要とされず、決済端末装置側との通信量が少なくて済み、決済端末装置の開発や保守、改修が短期間で可能となり、低コスト化が実現される。
【００２１】
そして、これらの決済システム、決済端末装置及び決済応答装置により、決済の利用拡大や決済サービスの向上がなされる。
【発明の効果】
【００２２】
本発明によれば、決済端末装置に大きな処理リソースや、複雑で高速な処理が必要とされず、決済センタ等のリモートホスト側との通信量が少なくて済み、決済端末装置の開発や保守、改修が短期間で可能となり、低コスト化が実現できる。そして、決済の利用拡大や決済サービスの向上がなされる。
【図面の簡単な説明】
【００２３】
【図１】本実施形態における決済システムのブロック図
【図２】本実施形態の決済端末装置における決済センタへの依存部分を示す図
【図３】各種決済システムの比較図
【発明を実施するための形態】
【００２４】
以下、本発明に係る決済システム、決済応答装置及び決済端末装置の実施形態（以下、「本実施形態」という）について、図面を参照して説明する。
【００２５】
図１は、本実施形態における決済システム１のブロック図である。また、図２は、本実施形態の決済端末装置２における決済センタ５への依存部分を示す図である。図１において、本実施形態における決済システム１は、決済端末装置２と、それに接続される各種の入出力インタフェース（以下「入出力Ｉ／Ｆ」と記す）３と、通信回線４を介して決済端末装置２と通信を行う決済センタ（決済応答装置）５とにより構成される。通信回線４としては、有線ＬＡＮ、無線ＬＡＮ、インターネット回線、携帯電話回線等が適宜選択され使用される。
【００２６】
本実施形態の入出力Ｉ／Ｆ３は、ＩＣカードリーダライタ３１、磁気カードリーダ３２、これらのカードの暗証番号等を入力するＰＩＮパッド３３及び取引伝票を印刷するプリンタ３４により構成される。ＩＣカードリーダライタ３１には、接触ＩＣカードを読み書きするものと、非接触ＩＣカード又は非接触ＩＣチップを備えた携帯装置を読み書きするものとがある。ＩＣカードリーダライタ３１は、その両方を備えていてもよいし、いずれか一方であってもよい。また、ＩＣカードリーダライタ３１は、接触型ＩＣカードのリーダライタと非接触ＩＣカードのリーダライタとを両方備える場合、それらは一体型であってもよいし、別々の装置であっても構わない。さらに、入出力Ｉ／Ｆ３を構成するこれらの装置は、その一部又は全てが、決済端末装置２と一体に構成されていてもよい。
【００２７】
また、例えば決済金額を入力するためのキーボードパッド等、上記に取り上げていない装置を、入出力Ｉ／Ｆ３を構成する装置として備えていてもよいし、決済端末装置２と一体に構成されていてもよい。ただし、本実施形態のキーボードパッドは、決済端末装置２に搭載されるタッチパネル６により、ソフトウェア・キーボードとして実現される。タッチパネル６は、例えば液晶パネルや有機ＥＬパネルのような表示装置と、指等の人体の接触による入力を検出するためのタッチパッド、すなわち入出力Ｉ／Ｆとが組み合わされたものである。これによりタッチパネル６は、先に述べたソフトウェア・キーボードの表示と入力を可能とする他、次に行われるべき操作や決済の取引状況を表示し、操作者によって選択された操作を入力可能とする。そして決済端末装置２は、このタッチパネル６と、先ほどの入出力Ｉ／Ｆ３を構成する各装置と、をそれぞれ動作させ、それらの装置の状態を把握するための各種ドライバ２１，２２，２３，２４，２６を備える。これらの入出力Ｉ／Ｆ３およびタッチパネル６からなるユーザ・インタフェースは、リッチ・クライアント型決済システム２０１より用いられている旧来の決済端末装置の設計資産（ハードウェア、ソフトウェア）の多くが利用できる。そのため、この新しい決済端末装置２の開発が短期間で可能となり、決済端末装置２のコストも安価となる。これにより、決済の利用拡大やサービスの向上が図られる。
【００２８】
本実施形態の決済システム１は、決済アプリケーション・プログラム（すなわち決済センタ依存機能）５１を、決済端末装置２には実装せず、決済端末装置２から離れた決済センタ５に備えるシン・クライアント型決済システムである。決済端末装置２と決済センタ５とは、通信回線４を介して接続される。この本実施形態の決済システム１の構成は、図３におけるシン・クライアント型決済システム４０１に準ずる。ちなみに、図１に示す決済アプリケーション・プログラム５１は、決済センタ５より分離されて、決済中継サーバとして決済センタ５と決済端末装置２との間に配置され、これら２つの装置とそれぞれ通信回線で接続されてもよい。すなわち、図３におけるシン・クライアント型決済システム３０１に準ずる構成であってもよい。
【００２９】
いずれにしても、これらのようなシン・クライアント型決済システムにおいて、ＩＣカードリーダライタ３１を始めとする入出力Ｉ／Ｆ３の各機能は簡素化され、複雑な処理機能は全て、図１における決済センタ５又は決済中継サーバに集約される。そして、本発明の一態様を実現する本実施形態の決済システム１により、決済端末装置２に搭載される機能は初めて簡素化され、低コスト化が実現され、その保守が容易となる。それに加えて、決済センタ５（または図示しない決済中継サーバ）と決済端末装置２との間における通信量は少なくて済む。さらに決済端末装置２には、大きな処理リソースや、複雑で高速な処理は必要とされない。
【００３０】
図１及び図２に示す決済端末装置２と決済センタ５との通信は、いわゆる「電文方式」と言うもので、マークアップ言語ではなく、処理およびデータ量の軽い通信プロトコルと文法フォーマットとに則って行われる。決済センタ５から決済端末装置２に対して送信される電文に、決済端末装置２のタッチパネル６に表示するための描画データは含まれない。その代わりに決済センタ５から送られてくるのは、例えば「カードをかざしてください」「ありがとうございました」等の、タッチパネル６に表示すべき内容を示す定型的な情報である。そのような表示内容に関する情報は、例えばコード化されているので、描画データと比較すれば極めて小さな情報量でしかない。したがって、決済端末装置２と決済センタ５との間における通信量は、描画データの送受信よりも大幅に削減される。それに加えて、決済端末装置２に求められる処理リソースも少なくて済む。
【００３１】
この表示内容に関する情報は、決済センタ５の通信プロトコルと文法フォーマットに則って、決済センタ５から送信される。決済センタ依存情報処理部（決済応答装置依存情報処理部）２７は、表示内容に関する情報を決済端末装置２が決済センタ５から受信すると、受信された表示内容に関する情報を、ＵＩ情報置換部２９が受け取れる形式に置き換える。このような置き換えは極めて単純なもので、表示内容に関する情報を、例えば決済センタ５から受信した通信フレーム内の特定の箇所から取り出すのみである。或いは、その通信フレーム内の特定の箇所から取り出したデータを、あらかじめ備えるテーブルによりＵＩ情報置換部２９が受け取れる形式に置き換える処理が加わる程度である。これにより、決済端末装置２に求められる処理リソースが少なくて済む。
【００３２】
決済端末装置２のＵＩ情報置換部２９は、受け取った表示内容に関する情報をもとに、その端末装置の処理能力や特性（例えば、画素数、階調数、モノクロ／カラー、グラフィック表示処理能力、画面表示に利用可能なＣＰＵ／メモリのリソース）に応じた描画データを生成する。こうして生成された描画データは、タッチパネル６のドライバ２６に送られる。そして、タッチパネル６には「カードをかざしてください」「ありがとうございました」等の表示がなされる。これにより、決済端末装置２に求められる処理リソースが少なくて済む。
【００３３】
決済端末装置２と決済センタ５との間においては、タッチパネル６により選択された情報や入力された金額情報、ＩＣカードリーダライタ３１を用いてＩＣカード（図示せず）より読み取った、カード番号等のカードまたはＩＣチップの情報が送受信される。カード情報の読み取りは、ＩＣカードリーダライタ３１ではなく、磁気カードリーダ３２によって行われる場合もある。それに加えて、ＰＩＮパッド３３より入力されたカードの暗証番号が、決済端末装置２と決済センタ５との間で送受信される場合もある。決済センタ依存情報処理部２７は、これらの情報をタッチパネル６、ＩＣカードリーダライタ３１、磁気カードリーダ３２またはＰＩＮパッド３３より受け取り、決済センタ５の通信プロトコルと文法フォーマットとに則って、決済センタ５へ送信する。また、プリンタ３４により印刷される取引伝票の情報も、決済端末装置２と決済センタ５との間において送受信される。決済センタ依存情報処理部２７は、この取引伝票の情報を、決済センタ５の通信プロトコルと文法フォーマットとに則って決済センタ５より受信し、コマンド置換部２８を介して、プリンタ３４のドライバ２４が受け取れる形式に置き換える。
【００３４】
これらのタッチパネル６により選択された情報や入力された金額情報、カードまたはＩＣチップの情報または暗証番号、取引伝票の情報の置き換え自体は、先に述べた表示内容に関する情報の置き換えと同様に、極めて単純なものである。ただし、これらの情報の中には秘匿性を必要とするものがある。それらは暗号化されて、決済端末装置２と決済センタ５との間を送受信される。そのため、決済センタ依存情報処理部２７は、これらの情報の暗号化処理または復号処理を、先の情報の置き換えに加えて行う。とは言っても、これらの暗号化処理および復号処理は、旧来のリッチ・クライアント型決済端末装置において行われていたものと大きく変わるものではない。したがって、これらの暗号化処理および復号処理のために必要とされる処理リソースも、旧来の決済端末装置と大きく変わるものではない。
【００３５】
さらに、決済端末装置２と決済センタ５との間においては、入出力Ｉ／Ｆ３を構成する装置の制御コマンドが送受信される。例えば、ＩＣカードリーダライタ３１が非接触ＩＣカードの読み書きを行う場合、決済センタ５からは、「カードをかざしてください」というタッチパネル６の表示情報とともに、ＩＣカードリーダライタ３１をカード読取可能な状態に制御するコマンドである。ＩＣカードリーダライタ３１は、その制御コマンドを受信することにより、例えば発光部（図示せず）を点滅させ、送受信アンテナより読み取りのための磁界を発生させる。これにより、ＩＣカードリーダライタ３１は、カードがかざされれば、すぐにカード情報の読み取りが可能な状態となる。
【００３６】
このような場合において、決済端末装置２の決済センタ依存情報処理部２７は、これらの制御コマンドを、決済センタ５の通信プロトコルと文法フォーマットとに則って決済センタ５より受信する。そして、決済センタ依存情報処理部２７は、コマンド置換部２８を介して、受信した制御コマンドを、入出力Ｉ／Ｆ３の中で該当する装置のドライバが受け取れる形式に置き換えて、その装置のドライバに振り分ける。上記に述べたＩＣカードリーダライタ３１をカード読取可能な状態に制御するコマンドの場合、決済センタ依存情報処理部２７は、受信した制御コマンドを、ＩＣカードリーダライタ３１のドライバ２１が受け取れる形式に置き換えて、ドライバ２１に振り分ける。
【００３７】
このような置き換えおよび振り分けは、先に述べた表示内容に関する情報の置き換え等と同様に、極めて単純なものである。これにより、決済端末装置２に求められる処理リソースが少なくて済む。
【００３８】
以上に述べたように、決済センタ依存情報処理部２７は、旧来のリッチ・クライアント型決済端末装置と同程度の処理能力や特性（例えば、画素数、階調数、モノクロ／カラー、グラフィック表示処理能力、ＣＰＵ／メモリのリソース）があれば、充分に動作する。それに加えて、この決済センタ依存情報処理部２７を介して制御または情報処理がなされる入出力Ｉ／Ｆ３およびタッチパネル６からなるユーザ・インタフェースには、旧来の決済端末装置の設計資産（ハードウェア、ソフトウェア）の多くが利用できる。それらの設計資産は、リッチ・クライアント型決済システムの時代から用いられていたものである。そのため、この新しい決済端末装置２の開発が短期間で可能となり、決済端末装置２のコストも安価となる。すなわち、決済端末装置２に搭載される機能は簡素化され、低コスト化が実現される。これにより、決済の利用拡大や決済サービスの向上が図られる。
【００３９】
図１および図２に示すように、本実施形態の決済端末装置２に搭載される決済センタ依存情報処理部２７は、ソフトウェアのみで実装され、しかも決済端末装置２のソフトウェア全体の中で、決済センタ５への依存部分が集約された部分である。このように構成しているメリットについて、これより述べる。
【００４０】
まず、決済端末装置２の保守が容易であるという点が挙げられる。決済センタ５の通信プロトコルと文法フォーマットとは、不定期にアップグレードされる。その際には、決済センタ５の決済アプリケーション・プログラム５１が改修されるだけでなく、決済端末装置２のソフトウェア（ファームウェア）も改修され更新される場合がある。その場合、決済端末装置２のソフトウェア（ファームウェア）において改修が必要な部分は、決済センタ５への依存部分が集約されている決済センタ依存情報処理部２７のみと言ってもよい。その他の部分については、改修の必要がほとんど無く、しかも旧来の決済端末装置の設計資産（ハードウェア、ソフトウェア）の多くが利用できる。したがって、必要な工数が少なく、短期間かつ安価で決済端末装置２の改修が可能となる。これにより、決済サービスの向上が容易に図られる。
【００４１】
次に、異なる多様な決済センタ（又は決済中継センタ）／電子マネーブランド・クレジットカードブランドへの対応が可能となる。図１に示す決済センタ５は一つのみであるが、実際には複数の決済センタが存在する。決済センタとの通信において用いられる通信プロトコルや文法フォーマットは、決済センタ毎に異なる。しかしながら、本実施形態の決済端末装置２において、決済センタ５への依存部分は、ほとんど決済センタ依存情報処理部２７に集約されている。コマンド置換部２８に改修が必要な部分があったとしても、それは決済センタ依存情報処理部２７とのインタフェース部分に限定される。コマンド置換部２８には、決済センタでの設計資産の多くが生かされる。したがって、今までに実装されていない決済センタ等に決済端末装置２を対応させる場合においても、改修が必要な部分は、決済センタ依存情報処理部２７のみと言ってもよい。その他の部分については、改修の必要がほとんど無く、しかも旧来の決済端末装置の設計資産（ハードウェア、ソフトウェア）の多くが利用できる。したがって、必要な工数が少なく、短期間かつ安価で決済端末装置２の改修が可能となる。これにより、決済の利用拡大や決済サービスの向上が容易に図られる。
【００４２】
このように、図１及び図２に示す本実施形態の決済システム１は、決済センタ依存情報処理部２７を除いて、旧来の決済端末装置の設計資産（ハードウェア、ソフトウェア）の多くが利用できて、かつ決済端末装置２に求められる処理リソースも少ない。それらの再利用可能な設計資産は、リッチ・クライアント型決済システムの時代から、改良を重ねながら用いられてきたものである。決済センタ５への依存部分は、決済センタ依存情報処理部２７に、ほぼ集約される。そして、決済センタ依存情報処理部２７は、旧来のリッチ・クライアント型決済端末装置と同程度の処理能力や特性（例えば、ＣＰＵ／メモリのリソース）があれば、充分に動作する。そのため、決済端末装置２の開発や保守、改修が短期間で可能となり、決済端末装置２のコストも安価となる。すなわち、決済端末装置２に搭載される機能は簡素化され、低コスト化が実現される。それらに加えて、この本実施形態の決済システム１では、従来のマークアップ言語型シン・クライアント決済システムと比較しても、決済センタ５（または図示しない決済中継サーバ）と決済端末装置２との間における通信量が少なくて済む。本実施形態の決済端末装置２には、従来のマークアップ言語型シン・クライアント決済システムにおける決済端末装置のように、大きな処理リソースや、複雑で高速な処理は必要とされない。本発明の一態様を実現する本実施形態の決済システム１により、決済端末装置２に搭載される機能は初めて簡素化され、低コスト化が実現され、その保守が容易となる。
【００４３】
以上に述べたように、本実施形態の決済端末装置２は、決済センタ５への依存部分が決済センタ依存情報処理部２７に集約され、ソフトウェアで実装されている。しかも、マークアップ言語を用いた従来の決済システムにおける決済端末装置のように、大きな処理リソースや、複雑で高速な処理が、本実施形態の決済端末装置２には必要とされない。それに加えて、本実施形態の決済システム１の決済センタ５（または図示しない決済中継サーバ）と決済端末装置２との間で行われる通信は、いわゆる「電文方式」である。そのため、従来の決済システムにおける決済センタ（または図示しない決済中継サーバ）と決済端末装置との間で行われる通信と比較して、決済センタ５（または図示しない決済中継サーバ）と決済端末装置２との間の通信量は少なくて済む。さらに、本実施形態の決済システム１によって初めて、旧来の決済端末装置の設計資産（ハードウェア、ソフトウェア）の多くが利用できる。それらの設計資産は、リッチ・クライアント型決済システムの時代から用いられていたものである。決済センタ５への依存部分は、ほとんど決済センタ依存情報処理部２７に集約されている。したがって、それまでに対応していなかった決済センタ等に決済端末装置２を対応させる場合においても、改修が必要な部分は、決済センタ依存情報処理部２７のみと言ってもよい。コマンド置換部２８には、決済センタでの設計資産の多くが生かされる。そのため、決済端末装置２の開発や保守、改修が短期間で可能となり、決済端末装置２のコストも安価となる。すなわち、決済端末装置２に搭載される機能は簡素化され、低コスト化が実現される。これにより、決済の利用拡大や決済サービスの向上が図られる。
【００４４】
以上、図面を参照しながら各種の実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４５】
本発明は、端末装置に高いスペックのハードウェアを必要とせず、決済時における応答性能を確保するため、クレジットカード等を用いた決済により商取引を会計する決済システム及びそれに用いられる決済端末装置と決済応答装置として有用である。
【符号の説明】
【００４６】
１  決済システム
２  決済端末装置
３  入出力インタフェース（入出力Ｉ／Ｆ）
４  通信回線
５  決済センタ（決済応答装置）
６  タッチパネル
２１，２２，２３，２４，２６  ドライバ
２７  決済センタ依存情報処理部（決済応答装置依存情報処理部）
２８  コマンド置換部
２９  ＵＩ情報置換部
３１  ＩＣカードリーダライタ
３２  磁気カードリーダ
３３  ＰＩＮパッド
３４  プリンタ
５１  決済アプリケーション・プログラム（決済センタ依存機能）
１０１  決済システムの機能分類
２０１  リッチ・クライアント型決済システム
３０１，４０１  シン・クライアント型決済システム
【図１】
2015022653.tif 000003
【図２】
2015022653.tif 000004
【図３】
2015022653.tif 000005